(57)【要約】【課題】  電子文書に付加された年表事項と対応する本文の構成文書とを対応付けて提示することができる年表事項提示装置等を提供することを目的とする。【解決手段】  電子文書に付加された年表に記述される年表事項を取得する年表事項取得手段と、前記年表事項を構成する語句のうち、予め定められた特定品詞に対応する語句を検索語として抽出する抽出手段と、前記電子文書を構成する構成文書のうち、前記抽出された検索語が全て含まれる構成文書に関連する関連情報を取得する関連情報取得手段と、前記年表事項と前記関連情報とを対応付けて提示する提示手段とを有することを特徴とする。【選択図】  図１
2005222113.tif 000002
【特許請求の範囲】
【請求項１】
電子文書に付加された年表に記述される年表事項を取得する年表事項取得手段と、
前記年表事項を構成する語句のうち、予め定められた特定品詞に対応する語句を検索語として抽出する抽出手段と、
前記電子文書を構成する構成文書のうち、前記抽出された検索語が全て含まれる構成文書に関連する関連情報を取得する関連情報取得手段と、
前記年表事項と前記関連情報とを対応付けて提示する提示手段と
を有することを特徴とする年表事項提示装置。
【請求項２】
請求項１に記載の年表事項提示装置において、
ユーザにより指定された年代を示す年代情報を取得する年代情報取得手段を有し、
前記年代情報取得手段は、前記年代情報に対応する年表事項を取得し、
前記関連情報取得手段は、前記年代情報に対応する構成文書に関連する関連情報を取得することを特徴とする年表事項提示装置。
【請求項３】
請求項１または請求項２に記載の年表事項提示装置において、
前記特定品詞が複数定められている場合には、それぞれの特定品詞は、該特定品詞に対応する語句が前記検索語として決定される順番を示す優先度情報を有し、
前記抽出手段は、前記優先度情報に基づいて定められる優先順位に基づいて、前記特定品詞に対応する語句を前記検索語として抽出し、
前記関連情報取得手段は、前記抽出された検索語を全て含む前記構成文書に関連する前記関連情報を取得することを特徴とする年表事項提示装置。
【請求項４】
請求項３に記載の年表事項提示装置において、
前記抽出手段は、前記優先順位の高い前記特定品詞と対応する語句から順に所定個数だけ前記検索語として抽出することを特徴とする年表事項提示装置。
【請求項５】
請求項３又は請求項４に記載の年表事項提示装置において、
前記抽出手段は、前記年表事項を構成する語句のうち、対応する特定品詞が有する前記優先度情報が同一である語句が複数ある場合には、前記年表事項中、後ろに位置する語句から順に前記優先順位を定めることを特徴とする年表事項提示装置。
【請求項６】
請求項３又は請求項４に記載の年表事項提示装置において、
前記抽出手段は、前記年表事項を構成する語句のうち、対応する特定品詞が有する前記優先度情報が同一である語句が複数ある場合には、前記優先順位が最も高い特定品詞に対応する語句を基準語句として決定し、前記年表事項を構成する語句であって前記基準語句以外の語句のうち、前記年表事項中、前記基準語句より前に位置し、かつ前記基準語句に最も近い語句から順に優先順位を定めることを特徴とする年表事項提示装置。
【請求項７】
請求項１乃至請求項６のいずれか一項に記載の年表事項提示装置において、
前記特定品詞は、サ変接続名詞、固有名詞、一般名詞、及び品詞不明の語句を示す未知語の少なくとも一つを含むことを特徴とする年表事項提示装置。
【請求項８】
請求項６または請求項７に記載の年表事項提示装置において、
前記基準語句は、特定品詞であるサ変接続名詞に対応する語句であることを特徴とする年表事項提示装置。
【請求項９】
請求項１乃至請求項８のいずれか一項に記載の年表事項提示装置において、
前記提示手段によって提示された前記関連情報のうち、少なくとも一以上の関連情報を選択する関連情報選択手段を有し、
前記提示手段は、前記選択された関連情報に対応する前記構成文書を取得して提示することを特徴とする年表事項提示装置。
【請求項１０】
請求項２乃至請求項９のいずれか一項に記載の年表事項提示装置と、該年表事項提示装置とネットワークを介して接続可能な端末装置とにより構成される年表事項提示システムであって、
前記年表事項提示装置は、前記端末装置より前記年代情報を受信する第１の受信手段と、前記年表事項と前記関連情報とを年表情報として前記端末装置へ送信する第１の送信手段を有し、
前記端末装置は、前記年代を指定するための指定手段と、該指定された年代を年代情報として前記年表事項提示装置へ送信する第２の送信手段と、前記年表事項提示装置から前記年表情報を受信する第２の受信手段と、前記年表情報を提示する年表情報提示手段とを有することを特徴とする年表事項提示システム。
【請求項１１】
電子文書に付加された年表に記述される年表事項を取得する年表事項取得工程と、
前記年表事項を構成する語句のうち、予め定められた特定品詞に対応する語句を検索語として抽出する抽出工程と、
前記電子文書を構成する構成文書のうち、前記抽出された検索語が全て含まれる構成文書に関連する関連情報を取得する関連情報取得工程と、
前記年表事項と前記関連情報とを対応付けて提示する提示工程と
を有することを特徴とする年表事項提示方法。
【請求項１２】
請求項１１に記載の年表事項提示方法において、
ユーザにより指定された年代を示す年代情報を取得する年代情報取得工程を有し、
前記年代情報取得工程において、前記年代情報に対応する年表事項を取得し、
前記関連情報取得工程において、前記年代情報に対応する構成文書に関連する関連情報を取得することを特徴とする年表事項提示方法。
【請求項１３】
コンピュータを、
電子文書に付加された年表に記述される年表事項を取得する年表事項取得手段、
前記年表事項を構成する語句のうち、予め定められた特定品詞に対応する語句を検索語として抽出する抽出手段、
前記電子文書を構成する構成文書のうち、前記抽出された検索語が全て含まれる構成文書に関連する関連情報を取得する関連情報取得手段、
前記年表事項と前記関連情報とを対応付けて提示する提示手段として機能させることを特徴とする年表事項提示プログラム。
【請求項１４】
請求項１３に記載の年表事項提示プログラムにおいて、
前記コンピュータを、
ユーザにより指定された年代を示す年代情報を取得する年代情報取得手段としてさらに機能させると共に、
前記年代情報取得手段は、前記年代情報に対応する年表事項を取得するよう機能させ、
前記関連情報取得手段は、前記年代情報に対応する構成文書に関連する関連情報を取得するよう機能させることを特徴とする年表事項提示プログラム。
【発明の詳細な説明】
【技術分野】
【０００１】
本発明は、ユーザに対して年表情報を提示する年表事項提示装置及び年表事項提示方法及び年表事項提示プログラム及び年表事項提示システムに関する。
【背景技術】
【０００２】
電子書籍や電子ドキュメントの普及に伴い、年史・社史や歴史研究書などの書籍も電子化される傾向にある。年史や社史、歴史書では、巻末や章末に年表が付属するのが常である。
【０００３】
例えば、特許文献１には、年表上のできごとを基に、各種資料を追加していく年史制作装置が開示されている。
【特許文献１】特開２００１−２９０９１３号公報
【発明の開示】
【発明が解決しようとする課題】
【０００４】
しかし、例えば紙媒体としての年史書籍を電子文書に変換しようとする場合、代表的な電子文書のフォーマットとしてはPDFやHTML等があるが、いずれのフォーマットでも、書籍以上の使い勝手（年表から本文へのジャンプなど）を実現するには、データ作成後に文書間の関係を人間が把握・選択して、年表事項と本文のリンク付けを行なわなくてはならず、非常に手間がかかるという問題があった。
【０００５】
さらに、最近では、本文の内容が、年代順でなく製品毎や事業毎に並べられるなど、構成が複雑な年史が増えてきており、このような年史では年表に対応した本文記事を書籍内で検索するのは難しいという問題があった。
【０００６】
そこで、本発明は上記課題に鑑みてなされたものであり、年表データと本文記事に関連する関連情報とを対応付けて提示することが可能な年表事項提示装置等を提供することを目的とする。
【課題を解決するための手段】
【０００７】
上記課題を解決するための本発明の一つの観点では、電子文書に付加された年表に記述される年表事項を取得する年表事項取得手段と、前記年表事項を構成する語句のうち、予め定められた特定品詞に対応する語句を検索語として抽出する抽出手段と、前記電子文書を構成する構成文書のうち、前記抽出された検索語が全て含まれる構成文書に関連する関連情報を取得する関連情報取得手段と、前記年表事項と前記関連情報とを対応付けて提示する提示手段とを有することを特徴とする。
【０００８】
これによれば、年表事項は構成文書の要約文となっていることが多いという特性を利用し、特定品詞に対応する語句を用いて構成文書の検索を行なうことにより検索精度が向上し、年表事項と密接に関係する関連情報を、年表事項と対応付けて提供することが可能になる。
【０００９】
上記課題を解決するための本発明の他の観点では、請求項１に記載の年表事項提示装置において、ユーザにより指定された年代を示す年代情報を取得する年代情報取得手段を有し、前記年代情報取得手段は、前記年代情報に対応する年表事項を取得し、前記関連情報取得手段は、前記年代情報に対応する構成文書に関連する関連情報を取得することを特徴とする。
【００１０】
これによれば、所望の年代に対応する年表事項と密接に関係する関連情報を、年表事項と対応付けて提供することができ、より最適な年表情報を提供することが可能になる。
【００１１】
上記課題を解決するための本発明の他の観点では、請求項１または請求項２に記載の年表事項提示装置において、前記特定品詞が複数定められている場合には、それぞれの特定品詞は、該特定品詞に対応する語句が前記検索語として決定される順番を示す優先度情報を有し、前記抽出手段は、前記優先度情報に基づいて定められる優先順位に基づいて、前記特定品詞に対応する語句を前記検索語として抽出し、前記関連情報取得手段は、前記抽出された検索語を全て含む前記構成文書に関連する前記関連情報を取得することを特徴とする。
【００１２】
これによれば、年表特有の品詞には高い優先度情報を与えることが可能になるため、検索精度が向上し、また、特定品詞を複数設定した場合に、その優先度情報を適宜変更することにより、検索精度を自由に設定することが可能になるという効果がある。
【００１３】
上記課題を解決するための本発明の他の観点では、前記抽出手段は、前記優先順位の高い前記特定品詞と対応する語句から順に所定個数だけ前記検索語として抽出することを特徴とする。
【００１４】
これによれば、抽出語の数を自由に設定できるため、検索精度を自由に設定することが可能になるという効果がある。
【００１５】
上記課題を解決するための本発明の他の観点では、請求項３又は請求項４に記載の年表事項提示装置において、前記抽出手段は、前記年表事項を構成する語句のうち、対応する特定品詞が有する前記優先度情報が同一である語句が複数ある場合には、前記年表事項中、後ろに位置する語句から順に前記優先順位を定めることを特徴とする。
【００１６】
これによれば、年表事項の記述の後方にある単語ほど、構成文書に含まれる最適なキーワードとなることが多いという特性を利用し、より最適な検索語を用いて検索をおこなうことが可能になるため、検索の精度が向上するという効果がある。
【００１７】
上記課題を解決するための本発明の他の観点では、請求項３又は請求項４に記載の年表事項提示装置において、前記抽出手段は、前記年表事項を構成する語句のうち、対応する特定品詞が有する前記優先度情報が同一である語句が複数ある場合には、前記優先順位が最も高い特定品詞に対応する語句を基準語句として決定し、前記年表事項を構成する語句であって前記基準語句以外の語句のうち、前記年表事項中、前記基準語句より前に位置し、かつ前記基準語句に最も近い語句から順に優先順位を定めることを特徴とする。
【００１８】
これによれば、年表事項は構成文書の要約文となっていることが多いという特性を利用し、より最適な検索語を用いて検索をおこなうことが可能になるため、検索の精度が向上するという効果がある。
【００１９】
上記課題を解決するための本発明の他の観点では、請求項１乃至請求項６のいずれか一項に記載の年表事項提示装置において、前記特定品詞は、サ変接続名詞、固有名詞、一般名詞、及び品詞不明の語句を示す未知語の少なくとも一つを含むことを特徴とする。
【００２０】
これによれば、より最適な検索語を用いて検索をおこなうことが可能になるため、検索の精度が向上するという効果がある。
【００２１】
上記課題を解決するための本発明の他の観点では、請求項６または請求項７に記載の年表事項提示装置において、特定品詞である前記基準語句は、サ変接続名詞に対応する語句であることを特徴とする。
【００２２】
これによれば、より最適な検索語を用いて検索をおこなうことが可能になるため、検索の精度が向上するという効果がある。
【００２３】
上記課題を解決するための本発明の他の観点では、請求項１乃至請求項８のいずれか一項に記載の年表事項提示装置において、前記提示手段によって提示された前記関連情報のうち、少なくとも一以上の関連情報を選択する関連情報選択手段を有し、前記提示手段は、前記選択された関連情報に対応する前記構成文書を取得して提示することを特徴とする。
【００２４】
これによれば、ユーザが取得した関連情報に基づいて、取得を所望する対応する構成文書を自由に選択することができるため、必要な構成文書のみを取得することができ、利便性が向上するという効果がある。
【発明の効果】
【００２５】
本発明によれば、年表事項は構成文書の要約文となっていることが多いという特性を利用し、年表事項を構成する語句のうち、特定品詞に対応する語句を用いて電子文書の構成文書の検索を行ない、該当する構成文書に関連する関連情報を取得することにより、年表事項とより密接に関係する関連情報を、年表事項と対応付けて提供することが可能になる。
【発明を実施するための最良の形態】
【００２６】
以下、本発明の好適な実施の形態を添付図面に基づいて説明する。
【００２７】
まず、図１乃至図４を参照して本実施形態にかかる年表事項提示装置の構成及び機能を説明する。なお、以下に説明する実施形態は、本願の年表事項提示装置を、コンピュータ等を用いてユーザが年代を指定することにより、その指定された年代に企業や学校などで起きた出来事の内容を年表情報として表示する表示部等で構成された年表事項提示装置に対して適用した場合の実施の形態である。
【００２８】
図１は、本実施形態にかかる年表事項提示装置の概要構成例を示すブロック図である。
【００２９】
図１に示すように、年表事項提示装置１は、入力部１１、記憶部１２、形態素解析部１３、検索語抽出部１４、検索部１５、表示データ作成部１６、表示部１７、選択部１８および制御部１９を含んで構成されており、各構成要素は互いにバス２０によって接続されている。
【００３０】
入力部１１は、キーボードやテンキー等で構成され、ユーザが提供を所望する年表情報の年代Ｙを入力し、年代情報として取得するためのものである。
【００３１】
記憶部１２は、年表データベース１２Ａ、本文データベース１２Ｂ、優先度データベース１２Ｃ及びメモリ１２Ｄを含んで構成される。
【００３２】
年表データベース１２Ａは、図２（Ａ）に示す如く、出来事が起きた年としての日付データと、電子文書に付加された年表に記述される年表事項としての年表データとを対応付けて記憶している。図２（Ａ）に示す例によれば、１９８４年３月に起きた出来事として、日付データ「１９８４０３００」年表データ「○○工場内にシャドウマスク工場が完成」が対応付けて記憶されている。また、１９８４年１１月に起きた出来事として、日付データ「１９８４１１００」年表データ「レインボーホログラムの量産に成功」が対応付けて記憶されている。
【００３３】
本文データベース１２Ｂは、図２（Ｂ）に示す如く、本文記事識別番号毎に、電子文書を構成する構成文書に関連する関連情報としての章タイトルを含む本文記事関連データ、電子文書を構成する構成文書としての本文記事を対応付けて記憶している。また、この本文記事関連データは、本文記事に記述されている年代範囲を示す本文日付データと章番号と章タイトルとにより構成される。
【００３４】
図２（Ｂ）に示す例によれば、本文記事識別番号１には、本文記事の年代範囲：１９７０年〜２００２年、関連情報の章番号：「第１．１章」と章タイトル：「フラットディスプレイ」、キーワード：「液晶」及び「プロジェクション」、及び本文記事「・・・画面サイズが１００インチ以上の大型テレビにも、当社の技術が・・。当社は高精度のプロジェクションスクリーン・・・独自に開発し・・・」が対応付けて記憶されており、また、本文記事識別番号２には、本文記事の年代範囲：１９７３年〜２０００年、本文記事関連情報の章番号：「２．２」と章タイトル：「量産技術の確立」、キーワード：「レインボーホログラム」及び「リップマンホログラム」、及び本文記事「・・・もう一つのホログラムの種類が、レインボーホログラムだ。世界初の量産に成功したのが昭和５９年のことであった。…」が対応付けて記憶されている。本文記事識別番号３乃至５にも上記本文記事識別番号１及び本文記事識別番号２と同様に、夫々の出来事に対応する年代範囲、章番号、章タイトル、及び本文記事が対応付けて記憶されている。
【００３５】
優先度データベース１２Ｃは、図２（Ｃ）に示す如く、種々の品詞について、特定品詞と非特定品詞に分類し、かつ、特定品詞に分類される品詞について、それぞれ優先度を定義している。上記形態素解析部１３によって年表データについて形態素解析が行われると、上記検索語抽出部１４によって、この優先度データベース１２Ｃを参照して、当該年表データを構成する語句から検索語が抽出される。なお、形態素解析部１３による形態素解析について、及び検索語抽出部１４による検索語の抽出については、後に検索語抽出処理の具体的手法の説明中で詳述する。
【００３６】
ここで、サ変接続名詞、固有名詞、未知語、及び一般名詞を特定品詞として定義し、それ以外の品詞を非特定品詞として定義する。この特定品詞は、企業の年史（社史）等において重要なキーワードとなる可能性が高く、本文データベース１２Ｂより本文記事を検索する際には、上記特定品詞の語句を検索語として用いて検索を行なうことにより、より精度の高い検索が可能になる。
【００３７】
また、この特定品詞には、サ変接続名詞、固有名詞、未知語、一般名詞の順番で上記検索語抽出部１４が検索語として決定するための優先度が定められている。
【００３８】
メモリ１２Ｄは、検索語抽出部１４によって抽出された検索語を対応する年表データ毎に対応付けて一時的に記憶するためのものである。なお、後に検索語抽出処理の説明において、メモリ１２Ｄに記憶されたデータについて具体的に詳述する。
【００３９】
形態素解析部１３は、解析部１３Ａと品詞データベース１３Ｂとを含んで構成され、上記制御部１９及び上記検索語抽出部１４と共に抽出手段として機能し、上記検索語抽出部１４が、上記入力部１１によって提供を所望する年表情報の年代が入力されることにより取得した年代情報に基づいて取得した年代情報に対応する年表データについて形態素解析を行なう。ここで、形態素解析とは、文章を語句（形態素）毎に分解して品詞を決定することをいう。
【００４０】
品詞データベース１３Ｂは、解析部１３Ａによって年表データを構成する語句の一語一語について、前後の係り受けを解析しながら決定された品詞を登録している。図３に示す如く、種々の語句がサ変接続名詞、固有名詞、一般名詞、格助詞、助動詞、・・・等の品詞毎に分類される。また、何れの品詞にも該当しない語句、例えば造語や、製品名等は「未知語」として解析部１３Ａから出力される。
【００４１】
検索語抽出部１４は、上記制御部１９と共に年表事項取得手段として機能し、取得した年代情報に対応する年表データを、年表データベース１２Ａの上記日付データに基づいて取得する。また、上記制御部１９及び上記形態素解析部１３と共に抽出手段として機能し、上記形態素解析部１３によって年表データについて形態素解析が行なわれると、当該年表データを構成する語句から上記優先度データベース１２Ｃを参照して、優先度に従って３つの語句を検索語として抽出する。なお、検索語抽出処理の具体的手法については後に詳述する。
【００４２】
検索部１５は、上記制御部１９と共に関連情報取得手段として機能し、上記入力部１１によって提供を所望する年表情報の年代が入力されることにより取得した年代情報に基づいて、該当する本文記事を本文データベース１２Ｂの本文日付データを参照して検索し、該検索された本文記事のうち、上記検索語抽出部１４によって抽出された検索語を全て含む本文記事を検索し、当該本文記事の章タイトルを関連情報として取得するためのものである。
【００４３】
図２（Ａ）に示す年表データ「レインボーホログラムの量産に成功」について、図２（Ｂ）に示す本文データベース１２Ｂの例に基づいて説明すると、上記検索語抽出部１４による検索語抽出処理の結果、年表データ「レインボーホログラムの量産に成功」から、「量産」と「ホログラム」と「成功」が検索語として決定された場合には、当該検索語を全て含む本文記事「・・・もう一つのホログラムの種類が、レインボーホログラムだ。世界初の量産に成功したのが昭和５９年のことであった。…」が検索され、この本文記事に対応する章タイトル「量産技術の確立」が取得され、上記年表データ「レインボーホログラムの量産に成功」と対応付けて表示部１７に表示される。
【００４４】
表示データ作成部１６は、上記表示部１７と共に提示手段として機能し、上記検索語抽出部１４が取得した年表データと、上記検索部１５が取得した関連情報の章タイトルとに基づいて表示部１７に表示可能な形式である年表表示用データを作成するためのものである。
【００４５】
表示部１７は、当該表示データ作成部１６にて作成された年表表示用データに基づいて、年表データと章タイトルとを対応付けて年表情報として表示する。
【００４６】
図４に表示部１７の年表情報の表示例を示す。図４に示す例は、ユーザが提供を所望する年表情報の年代Ｙを１９８４年〜１９８５年として入力した場合の例である。図４に示す如く上記検索語抽出部１４が取得した年表データ及び日付データが、「会社の動き」として表示され、対応する上記検索部１５が取得した関連情報の章タイトルが「関連記事」として表示される。関連情報の章タイトルを関連記事として表示する際、本文データベース１２Ｂ（図２（Ｂ））を参照して、取得した関連情報の章タイトルに対応付けられている本文日付データに基づいて、その本文日付データの開始年代が早いほうから順に時系列で表示するよう構成する。そして、該章タイトルと、本文データベース１２Ｂに記憶されている本文記事とについてハイパーリンクで関連付けを行ない、マウスなどで構成する選択部１８を操作して対応する本文記事の表示を所望する関連情報としての章タイトルを選択することにより、関連付けられた本文記事が表示されるよう構成する。
【００４７】
選択部１８は、上記制御部１９と共に関連情報選択手段として機能し、表示部１７に表示された章タイトルのうち、本文記事の表示を所望する何れかの章タイトルを選択するためのものである。
【００４８】
制御部１９は、演算機能を有するＣＰＵ（Central Processing Unit）、各種プログラム（年表事項提示プログラムを含む）及びデータを記憶するＲＯＭ（Read Only Memory）、及び作業用メモリとしてのＲＡＭ（Random Access memory）等を含んで構成されており、年表事項提示装置１における構成要素全体を制御し、また、年表事項提示装置１を構成する各種構成部に対して所定の指示信号を送受信するためのものである。
【００４９】
具体的には、制御部１９は、上記入力部１１と共に、年代情報取得手段として機能し、入力部１１によって入力された年代Ｙを年代情報として取得する。
【００５０】
また、制御部１９は、上記検索語抽出部１４と共に年表事項取得手段として機能し、取得した年代情報に対応する年表データを取得する。
【００５１】
また、制御部１９は、上記検索語抽出部１４及び上記形態素解析部１３と共に抽出手段として機能し、上記入力部１１によって年代Ｙが入力されることにより取得した年代情報に基づいて対応する年表データを年表データベース１２Ａより取得し、当該取得した年表データについて形態素解析を行ない、年表データを構成する語句から検索語を抽出する。
【００５２】
さらに、制御部１９は、上記検索部１５と共に関連情報取得手段として機能し、上記入力部１１によって年代Ｙが入力されることにより取得した年代情報と対応する本文記事を本文データベース１２Ｂを参照して検索し、該検索された本文記事のうち、上記検索語抽出部１４によって抽出された検索語を全て含む本文記事を検索し、当該本文記事の章タイトルを関連情報として取得する。
【００５３】
また、制御部１９は、上記選択部１８と共に選択手段として機能し、表示部１７に表示された章タイトルのうち、本文記事の表示を所望する章タイトルを選択する。
【００５４】
次に、本実施形態にかかる制御部１９の動作について説明する。
【００５５】
まず、図１乃至図６を参照して、年表事項提示装置１における検索語抽出処理について説明する。
【００５６】
図５は、制御部１９における検索語抽出処理を示すフローチャートであり、図６（Ａ）及び図６（Ｂ）は、年表データの検索語抽出処理の説明図である。
【００５７】
まず、年表情報の提供を所望する年代Ｙを入力部１１より入力することにより、年代情報を取得する（ステップＳ１）。具体的には、例えば図４の表示部１７の表示例に示す如く、表示部１７に表示された年代のスクロールキーをキーボードの矢印ボタンやマウスなどによって移動させることによって、年代Ｙが入力され年代情報として取得される。
【００５８】
次に、検索語抽出部１４は、取得した年代情報に対応する年表データを年表データベース１２Ａより取得する（ステップＳ２）。
【００５９】
例えば、年代Ｙが１９８４年〜１９８５年と指定された場合には、１９８４年から１９８５年までの日付データを有する年表データ「○○工場内にシャドウマスク工場が完成」、「高品位テレビ用大型プロジェクションスクリーンを開発」、「レインボーホログラムの量産に成功」及び「世界初のＣＤ−ＲＯＭ版電子辞書を開発」の４つの年表データが日付データと共に取得される。
【００６０】
そして、形態素解析部１３は、取得された年表データについて形態素解析を行なう（ステップＳ３）。
【００６１】
ここで、図６（Ａ）は、年表データ「○○工場内にシャドウマスク工場が完成」の形態素解析の例である。年表データを構成する語句「○○」は固有名詞、語句「工場」は一般名詞、語句「内」は接尾名詞、語句「に」は格助詞、語句「シャドウマスク」は未知語、語句「が」は助詞、語句「完成」はサ変接続名詞として解析される。
【００６２】
そして、図６（Ｂ）に示す年表データ「高品位テレビ用大型プロジェクションスクリーンを開発」も同様にして、語句「高」は接頭詞、語句「品位」は一般名詞、語句「テレビ」は一般名詞、語句「用」は接尾名詞、語句「大型」は一般名詞、語句「プロジェクションスクリーン」は未知語、語句「を」は格助詞、語句「開発」はサ変接続名詞として解析される。
【００６３】
次に、年表データを構成する語句のうち、検索語抽出部１４によって優先度データベース１２Ｃを参照して特定品詞に該当する語句が抽出される（ステップＳ４）。図６（Ａ）に示す年表データ「○○工場内にシャドウマスク工場が完成」の場合には、特定品詞に該当する語句として、「○○」、「工場」、「シャドウマスク」、「工場」、及び「完成」が抽出され、図６（Ｂ）に示す年表データ「高品位テレビ用大型プロジェクションスクリーンを開発」の場合には、特定品詞に該当する語句として、「品位」、「テレビ」、「大型」、「プロジェクションスクリーン」、及び「開発」が抽出される。
【００６４】
そして、優先度データベース１２Ｃを参照して抽出された語句に対応する優先度に基づいて検索語として決定すべき優先順位を決定する（ステップＳ５）。
【００６５】
一例として、図６（Ａ）に示す年表データ「○○工場内にシャドウマスク工場が完成」の場合には、対応する特定品詞の優先度が１のサ変接続名詞である語句「完成」が優先順位１位となり、対応する特定品詞の優先度が２の固有名詞である語句「○○」が優先順位２位となり、対応する特定品詞の優先度が３の未知語である語句「シャドウマスク」が優先順位３位となり、対応する特定品詞の優先度が４の一般名詞である語句「工場」が優先順位４位となる。
【００６６】
一方、図６（Ｂ）に示す年表データ「高品位テレビ用大型プロジェクションスクリーンを開発」の場合には、対応する特定品詞の優先度が１のサ変接続名詞である語句「開発」が優先順位１位となり、対応する特定品詞の優先度が３の未知語である語句「プロジェクションスクリーン」が優先順位２位となる。そして次に、対応する特定品詞の優先度が３の一般名詞である語句「品位」、「テレビ」、「大型」が選ばれることになるが、これら語句「品位」、「テレビ」、「大型」は検索語となるべき同一の優先度を有していることになる。このような場合には、優先順位が１位の語句「開発」より前に位置する語句であって、当該優先順位１位の語句「開発」に近いほうから順に優先順位を決定する。従って、「大型」、「テレビ」、「品位」の順に優先順位３位、優先順位４位、優先順位５位として決定される。
【００６７】
そして、優先順位３位までの語句を検索語として抽出する（ステップＳ６）。３つの語句を検索語とすることにより、より精確な年表情報を取得することができるからである。なお、検索語の数が多いほど検索結果の取得数は少なくなり、検索語の数が少ないほど検索結果の取得数が多くなるため、検索語の数をユーザが所望の入力部１１によって入力するよう構成すれば、検索精度をユーザが自由に設定することが可能になる。
【００６８】
そして、ステップＳ２で取得した全ての年表データについて形態素解析及び検索語の抽出が行われたか否かを判定し（ステップＳ７）、まだ形態素解析及び検索語の抽出が行われていない他の年表データがある場合には（ステップＳ７：Ｙｅｓ）、ステップＳ３へ移行し、ステップＳ２で取得した全ての年表データについて形態素解析及び検索語の抽出が行われている場合には（ステップＳ７：Ｎｏ）、取得した年表データ及び日付データと抽出した検索語を記憶部１２のメモリ１２Ｄに対応付けて記憶させた後に、処理を終了する（ステップＳ８）。
【００６９】
以上説明した処理により、各年表データに対応する検索語をメモリ１２Ｄに対応付けて記憶させる。図７に上記検索語抽出処理に基づいてメモリ１２Ｄに対応付けて記憶させた各年表データと検索語の説明図を示す。
【００７０】
各年表データはそれぞれデータＩＤ番号を付されて記憶されており、図７に示す例によれば、データＩＤ１には、日付データ「１９８４０３００」年表データ「○○工場内にシャドウマスク工場が完成」検索語「完成」「○○」「シャドウマスク」が対応付けて記憶されている。以下、それぞれの年表データの検索語がデータＩＤ毎に記憶されている。
【００７１】
次に、年表事項提示装置１における年表事項提示処理について説明する。
【００７２】
図８は、制御部１９における年表事項提示処理を示すフローチャートである。
【００７３】
まず、検索部１５は、上述した検索語抽出処理のステップＳ１において取得した年代情報に対応する本文記事を本文データベース１２Ｂより検索する（ステップＳ１０）。例えば、ステップＳ１において年代Ｙが１９８４年〜１９８５年と指定された場合には、本文データベース１２Ｂの本文日付データを参照し、その本文日付データに１９８４年から１９８５年までの年代を含む全ての本文記事が検索される。図２（Ｂ）に示す例によれば、本文記事識別番号１乃至本文記事識別番号５の５つの本文記事が検索される。
【００７４】
次に、メモリ１２Ｄに記憶させた一の年表データの検索語を抽出する（ステップＳ１１）。年表データ毎に処理を行なうためであり、以下、メモリ１２Ｄに記憶させたデータＩＤ１乃至データＩＤ４の全ての年表データについて順に処理を行なう。
【００７５】
そして、検索部１５は、ステップＳ１０にて検索された本文記事のうち、抽出した年表データに対応する検索語を全て含む本文記事を検索する（ステップＳ１２）。
【００７６】
検索の結果、対応する検索語を全て含む本文記事がある場合にはステップＳ１３へ移行し（ステップＳ１２：Ｙｅｓ）、対応する検索語を全て含む本文記事がない場合には、ステップＳ１１の処理へ移行して次の年表データについて検索処理を行なう（ステップＳ１２：Ｎｏ）。
【００７７】
例えば、データＩＤ１の年表データに対応する検索語「完成」「○○」「シャドウマスク」を全て含む本文記事があるか否かを検索するが、ステップＳ１０にて検索された本文記事識別番号１乃至本文記事識別番号５の５つの本文記事には該当する本文記事がないため、ステップＳ１１へ移行し、次のデータＩＤ２の年表データの検索語を全て含む本文記事を検索する。
【００７８】
そして、ステップＳ１２にて検索された本文記事の章タイトルを本文データベース１２Ｂより取得する（ステップＳ１３）。
【００７９】
次に、表示データ作成部１６が、取得された章タイトルと、対応する年表データとに基づいて年表表示用データを作成する（ステップＳ１４）。
【００８０】
例えば、データＩＤ２の年表データに対応する検索語「開発」「プロジェクションスクリーン」「大型」を全て含む本文記事は、本文記事識別番号１の本文記事になる。従って、本文記事識別番号１の本文記事の章タイトル「フラットディスプレイ」が関連記事として決定されることになる。
【００８１】
そして、表示部１７には、「会社の動き」としてデータＩＤ２の年表データ及び日付データと「関連記事」として章タイトルフラットディスプレイとが対応付けて表示されることになる。そして、該章タイトルと、本文データベース１２Ｂに記憶されている本文記事とについてハイパーリンクで関連付けを行ない、マウスなどで構成する選択部１８を操作して章タイトルを選択することにより、関連付けられた本文記事「・・・画面サイズが１００インチ以上の大型テレビにも、当社の技術が・・。当社は高精度のプロジェクションスクリーン・・・独自に開発し・・・」が表示されるよう構成する。
【００８２】
同様にしてデータＩＤ３の年表データに対応する検索語「成功」「量産」「ホログラム」を全て含む本文記事は、本文記事識別番号２及び本文記事識別番号３の本文記事になる。従って、本文記事識別番号２及び本文記事識別番号３の本文記事の章タイトル「量産技術の確立」「△○の開発」が関連記事として決定されることになる。なお、この場合本文記事識別番号２の本文日付データの開始年代が１９７３年であり、本文記事識別番号３の本文日付データの開始年代１９８０年よりも早いため、本文記事識別番号２の章タイトル「量産技術の確立」の次に本文記事識別番号３の章タイトル「△○の開発」が表示されるように、時系列で年表表示用データを作成する。
【００８３】
また、データＩＤ４の年表データに対応する検索語「開発」「ＲＯＭ」「辞書」を全て含む本文記事は、本文記事識別番号４及び本文記事識別番号５の本文記事になる。従って、本文記事識別番号４及び本文記事識別番号５の本文記事の章タイトル「レインボーホログラムの量産に成功」と「世界初のＣＤ−ＲＯＭ晩電子辞書を開発」が共に関連記事として決定されることになる。
【００８４】
メモリ１２Ｄに記憶させた全ての年表データについて処理を終了したか否かを判定し（ステップＳ１５）、終了していない場合には（ステップＳ１５：Ｎｏ）、ステップＳ１１へ移行し、全ての年表データについて処理を終了した場合には（ステップＳ１５：Ｙｅｓ）、ステップＳ１３にて作成した年表表示用データに基づいて表示部１７に年表データと章タイトルとを年表情報として表示する（ステップＳ１６）。
【００８５】
なお、ステップＳ１３、ステップＳ１４において、関連情報として章タイトルを取得したが、章タイトルと共に章番号を取得し、これらに基づいて年表表示用データを作成してもよい。また、ステップＳ１０の処理において、検索語抽出処理のステップＳ１において取得した年代情報に対応する本文記事がない場合には、処理を終了するよう構成すればよい。
【００８６】
以下に表示データ作成部１６によってＸＭＬプログラミング形式で作成された年表データと章タイトルとを対応付けて構成する年表表示用データの一例を示す。なお、ＸＭＬプログラミングは、データ(内容)と表示が分離しているので、体裁変更が容易であると共に、非表示項目(日付・キーワードなど)を内在させられるので、検索が容易である。さらに、階層構造で記述でき、構造の変更が容易なので、書籍の内容記述に向いており、さらに動的な変更が容易であるという性質を有するため、年表表示用データの作成に適している。
<nenpyodisp>
<div type="年表">
<head>
<ol>
<li date="19840300"class="会社の動き">
<p>○○工場内にシャドウマスクエ場が完成</p>
<ref>
<div type="節"id="1.1">
<head>
<title>フラットディスプレイ</title>
<term>
<start>1970
<end>2002
</term>
</head>
</div>
</ref>
</1i>
<li date="19840400"class="会社の動き">
<p>高品位テレビ用大型プロジェクションスクリーンを開発 </p>
<ref>
<div type="節"id="2.2">
<head>
<title>量産技術の確立</title>
<term>
<start>1973
<end>2000
</term>
</head>
</div>
<div type="節"id="2.3">
<head>
<title>△○の開発</title>
<term>
<start>1980
<end>2000
</term>
</head>
</div>
</ref>
</li>
<1i date="19841100"class:"会社の動き">
<P>レインボーホログラムの量産に成功 </P>
<ref>
</ref>
</1i>
<li date:"19850600"class="会社の動き">
<p>世界初のCD-ROM版電子辞書を開発</p>
<ref>
<div type="節"id="3.2">
<head>
<title>デジタル広辞苑の誕生</title>
<term>
<start>1983
<end>1999
</term>
</head>
</div>
<div type="節"id="5.1">
<head>
<title>マルチメディア</title>
<term>
<start>1985
<end>1992
</term>
</head>
</div>
</ref>
</li>
</ol>
</div>
</nenpyodisp>
【００８７】
また、他の実施の形態として、図９に示す如く他のコンピュータ端末装置２００と年表事項送信装置１００とをインターネットやＬＡＮ（Local Area Network）等の通信網Ｘで情報の送受信が可能になるよう構成する。
【００８８】
この場合、年表事項送信装置１００は、記憶部１２、形態素解析部１３、検索語抽出部１４、検索部１５、表示データ作成部１６、通信部２１および制御部１９を含んで構成し、各構成要素は互いにバス２０によって接続する。
【００８９】
上記通信部２１は、コンピュータ端末装置２００から年代情報を受信する第１の受信手段と、コンピュータ端末装置２００へ年表事項と関連情報とを年表情報として送信する第１の送信手段として機能する。その他の構成要素の機能は上述した実施の形態における年表事項提示装置１の構成要素と同様である。
【００９０】
また、コンピュータ端末装置２００は、入力部３１、通信部３２、表示部３３、選択部３４および制御部３５を含んで構成し、各構成要素は互いにバス３６によって接続する。
【００９１】
入力部３１は、キーボードやテンキー等で構成され、ユーザが提供を所望する年表情報の年代Ｙを入力し、年代情報として取得するためのものである。
【００９２】
また、通信部３２は、第２の送信手段及び第２の受信手段として機能し、指定された年代を年代情報として年表事項提示装置１００へ送信し、また年表事項提示装置１００から年表情報を受信する。
【００９３】
表示部３３は、年表データと章タイトルとを対応付けて年表情報として表示する。
【００９４】
選択部３４は、表示部３３に表示された章タイトルのうち、本文記事の表示を所望する何れかの章タイトルを選択するためのものである。
【００９５】
以上のように構成することにより、ユーザは上記コンピュータ端末装置２００を操作して通信網Ｘを介して年表事項送信装置１００にアクセスすることにより、所望の年代の年表情報を年表事項送信装置１００から取得することが可能になる。
【００９６】
なお、上記検索語抽出処理において、一の年表データ中に特定品詞としてサ変接続名詞に該当する語句が２つ以上ある場合には、２つまで優先順位を１として決定することができるよう構成してもよい。また、３つ以上のサ変接続名詞に該当する語句が存在する場合には、年表データ中後にある語句から順に優先順位を決定するよう構成してもよい。
【００９７】
さらに、未知語の優先度を２とし、固有名詞の優先度を３とするよう構成してもよい。
【００９８】
また、一の年表データ中に未知語に該当する語句が２つ以上ある場合には、優先順位が３位まで（検索語が所定数になるまで）語句を選択することができるよう構成してもよい。固有名詞・一般名詞の場合も同様の構成としてもよい。
【００９９】
なお、上述した検索語抽出処理において検索語が３つに満たない場合には、一般名詞に該当する語句のうち、一の年表データ中前に位置する語句から順に優先順位を決定するよう構成する。それでもなお、上述した検索語抽出処理において検索語が３つに満たない場合であっても、対応する年表データと、取得できた１つ（又は２つ）の検索語とを対応付けてメモリ１２Ｄに記憶させればよい。
【０１００】
なお、同じ語句を検索語として取得しないために、同一年表データに対応する検索語として既に取得済みの語句は、それ以降検索語として取得しない。
【０１０１】
さらに、年表データが句点（。）や括弧がある場合のように、複数の文章で構成されている場合には、最初の文章についてのみ形態素解析及び検索語抽出処理の対象とする。全文を対象とすると語句が膨大になり、重要な語句を検索語として取得できない可能性があるからである。なお、最初の文章だけでは検索語が所定数（例えば、３つ）に満たない場合には次の文章を形態素解析及び検索語抽出処理の対象とする。
【０１０２】
上述した実施形態によれば、年表データと密接に関係する本文記事の章タイトルを、本文記事とリンクさせた形式で、年表データと対応付けて表示することができるため、ユーザは章タイトルを見て、本文記事を表示させるか否かを決定し、表示を所望する本文記事だけを容易に参照することが可能になるという効果がある。
【０１０３】
また、年表データの夫々について形態素解析を行ない、検索語を年表データ毎に取得するよう構成したため、本文記事の章タイトルを年表データ毎に取得することができるため、年表データと、当該年表データとより密接に関係する本文記事の章タイトル（及び本文記事）とを提供することができる。
【０１０４】
さらに、予め検索語として決定されるべき特定品詞を品詞データベース１３Ｂに記憶させておくことにより、適切な検索語を用いて本文記事の検索を行なうことができ、検索精度を向上させることができるという効果がある。
【０１０５】
さらに、検索語の数をユーザが指定できるようにすれば、ユーザが検索精度を自由に設定することができるという効果がある。
【０１０６】
また、特定品詞に優先度を定めるよう構成したため、年表特有の品詞には高い優先度を与えることが可能になるため、検索の精度が向上するという効果がある。
【０１０７】
さらに、特定品詞を、品詞不明の語句である未知語を含めて構成したため、企業の製品名等の固有名詞について検索漏れを防ぎ、社史等である場合にはより適切な検索語で検索が可能になり、検索の精度が向上するという効果がある。
【０１０８】
さらにまた、形態素解析部１３は、他の構成要素と独立して構成したため、市販の形態素解析ツールを形態素解析部１３として簡単に装備させることができたり、或いは形態素解析のメンテナンスが比較的容易になるという効果がある。また、複数の企業の社史（年史）ごとに年表データベース１２Ａ及び本文データベース１２Ｂを設けることにより、複数の企業の社史（年史）の年表をつき合わせて、同一の時系列で比較させて提示することが可能になる。
【図面の簡単な説明】
【０１０９】
【図１】年表事項提示装置１の概要構成例を示すブロック図である。
【図２（Ａ）】年表データベース１２Ａの説明図である。
【図２（Ｂ）】本文データベース１２Ｂの説明図である。
【図２（Ｃ）】優先度データベース１２Ｃの説明図である。
【図３】品詞データベース１３Ｂの説明図である。
【図４】表示部１７の年表情報の表示例である。
【図５】制御部１９における検索語抽出処理を示すフローチャートである。
【図６（Ａ）】年表データの検索語抽出処理の説明図である。
【図６（Ｂ）】年表データの検索語抽出処理の説明図である。
【図７】メモリ１２Ｄに対応付けて記憶させた各年表データと検索語の説明図である。
【図８】制御部１９における年表事項提示処理を示すフローチャートである。
【図９】ネットワークを介してコンピュータ端末装置に年表事項を提示する年表事項提示方法の説明図である。
【符号の説明】
【０１１０】
１…年表事項提示装置
１１…入力部    
１２…記憶部
１２Ａ…年表データベース
１２Ｂ…本文データベース
１２Ｃ…優先度データベース
１２Ｄ…メモリ
１３…形態素解析部    
１３Ａ…解析部    
１３Ｂ…品詞データベース
１４…検索語抽出部    
１５…検索部
１６…表示データ作成部
１７…表示部
１８…選択部    
１９…制御部
２０…バス
２１…通信部
１００…年表事項送信装置
２００…コンピュータ端末装置
３１…入力部
３２…通信部
３３…表示部
３４…選択部
３５…制御部
３６…バス
【図１】
2005222113.tif 000003
【図２（Ａ）】
2005222113.tif 000004
【図２（Ｂ）】
2005222113.tif 000005
【図２（Ｃ）】
2005222113.tif 000006
【図３】
2005222113.tif 000007
【図４】
2005222113.tif 000008
【図５】
2005222113.tif 000009
【図６（Ａ）】
2005222113.tif 000010
【図６（Ｂ）】
2005222113.tif 000011
【図７】
2005222113.tif 000012
【図８】
2005222113.tif 000013
【図９】
2005222113.tif 000014